(57)【要約】【課題】浴室壁面に設置した化粧パネル上の鏡においてヒータ等の電気部品を使用せず、給湯配管放熱を利用して鏡の曇りを防止する。【解決手段】浴室壁面６に固定した略額縁形状の化粧パネル７内部に給湯を熱源とする配管放熱装置１１を備え、前記配管放熱装置１１の前面に鏡８を配設した曇り防止付き鏡ユニット。【選択図】  図２
2005034255.tif 000002
【特許請求の範囲】
【請求項１】
浴室壁面に固定した略額縁形状の化粧パネル内部に給湯を熱源とする配管放熱装置を備え、前記配管放熱装置の前面に鏡を配設した曇り防止付き鏡ユニット。
【請求項２】
前記化粧パネルに、混合水栓から配管放熱装置へ混合水を供給するための接続入口部とハンドシャワーを接続する接続出口部とを設けた請求項１記載の曇り防止付き鏡ユニット。
【請求項３】
前記配管放熱装置は熱伝導性の良い材料からなる箱体に給湯する構成の請求項１または２記載の曇り防止付き鏡ユニット。
【請求項４】
前記配管放熱装置は前面に熱伝導性の良い材料の均熱板を備え、前記均熱板と鏡が密着する構成の請求項１〜３記載の曇り防止付き鏡ユニット。
【請求項５】
前記配管放熱装置は均熱板に樹脂パイプを固着させたものとする請求項４記載の曇り防止付き鏡ユニット。
【請求項６】
前記樹脂パイプは横方向に曲げながらパイプを均熱板に配し、樹脂パイプは水抜きできるよう配管勾配を設けた請求項５記載の曇り防止付き鏡ユニット。
【請求項７】
前記配管放熱装置の後面に軟質断熱材を設け、配管放熱装置を鏡裏面に圧接固定できる請求項１〜６記載の曇り防止付き鏡ユニット。
【発明の詳細な説明】
【０００１】
【発明の属する技術分野】
本発明は鏡の曇りを給湯配管放熱を利用して防止する曇り防止付き鏡ユニットに関するものである。
【０００２】
【従来の技術】
従来、この種の曇り防止付き鏡ユニットは、鏡の後面に電気ヒータを貼り付けて鏡の曇りを防止している。
【０００３】
図７は、従来の曇り防止付き鏡ユニットを示すものである。図７において、１は浴室壁面、２は化粧パネル、３は鏡、４は電気ヒータ、５は遮蔽板である。
【０００４】
【発明が解決しようとする課題】
しかしながら、前記従来の構成では、電気ヒータを用いていたため感電等の問題を解決するためにヒータの絶縁を強化したり絶縁トランスを用いる等の安全面での対策が必要であるという課題を有していた。また、ヒータに電気を供給するため浴室外にヒータの電源コードを出す必要があり遮蔽板等で浴室外への水漏れ対策を十分に行なう必要があるという課題を有していた。
【０００５】
本発明は、前記従来の課題を解決するもので、浴室壁面に設置した化粧パネル上の鏡においてヒータ等の電気部品を使用せず、給湯配管放熱を利用して鏡の曇りを防止するとした曇り防止付き鏡ユニットを提供することを目的とする。
【０００６】
【課題を解決するための手段】
前記従来の課題を解決するために、本発明の曇り防止付き鏡ユニットは、浴室壁面に固定した略額縁形状の化粧パネル内部に給湯を熱源とする配管放熱装置を備え、前記配管放熱装置の前面に鏡を配設した曇り防止付き鏡ユニットとしたものである。
【０００７】
これによって、浴室壁面に固定した略額縁形状の化粧パネル内部に配管放熱装置を設け配管放熱装置に鏡を配設させているため、配管放熱装置へ給湯することで配管放熱装置が加熱し、その熱が鏡に熱伝導し鏡の曇りを防止する。
【０００８】
【発明の実施の形態】
請求項１に記載の発明は浴室壁面に固定した略額縁形状の化粧パネル内部に給湯を熱源とする配管放熱装置を備え、前記配管放熱装置の前面に鏡を配設した曇り防止付き鏡ユニットとすることにより、浴室壁面に固定した略額縁形状の化粧パネル内部に配管放熱装置を設け配管放熱装置に鏡を配設させているため、配管放熱装置へ給湯することで配管放熱装置が加熱し、その熱が鏡に熱伝導し鏡の曇りを防止することとなり電気ヒータに比べて感電等の心配がなく安全であり、しかも入浴中に使用するお湯を配管放熱装置に流して鏡の曇りを防止するため無駄なエネルギーを用いず、効率的にエネルギーを利用することができるすることができる。
【０００９】
請求項２に記載の発明は前記化粧パネルに、混合水栓から配管放熱装置へ混合水を供給するための接続入口部とハンドシャワーを接続する接続出口部とを設けた請求項１記載の曇り防止付き鏡ユニットとすることにより、輸送時及び設置時、混合水栓と配管放熱装置を備えた化粧パネルとハンドシャワーとを別体として取り扱うことができようになり、作業性が向上し配管接続が容易になる。
【００１０】
請求項３に記載の発明は前記配管放熱装置は熱伝導性の良い材料からなる箱体に給湯する構成の請求項１または２記載の曇り防止付き鏡ユニットとすることにより、熱伝導性が良いことで鏡を素早く昇温させることとなり、性能を向上させることができる。
【００１１】
請求項４に記載の発明は前記配管放熱装置は前面に熱伝導性の良い材料の均熱板を備え、前記均熱板と鏡が密着する構成の請求項１〜３記載の曇り防止付き鏡ユニットとすることにより、密着させない場合と比べて均熱板を鏡と密着させることで明らかに鏡の昇温スピードが早まることになり、確実に鏡の曇りを防止するすることができ性能を更に向上させることができる。
【００１２】
請求項５に記載の発明は前記配管放熱装置は均熱板に樹脂パイプを固着させたものとする請求項４記載の曇り防止付き鏡ユニットとすることにより、樹脂パイプと均熱板とを一体に扱うことになり、取り扱いを容易にすることができる。
【００１３】
請求項６に記載の発明は前記樹脂パイプは横方向に曲げながらパイプを均熱板に配し、樹脂パイプは水抜きできるよう配管勾配を設けた請求項５記載の曇り防止付き鏡ユニットとすることにより、樹脂パイプ中に溜まった死水の水抜きが可能になり、冬場等の配管凍結を防止することができる。
【００１４】
請求項７に記載の発明は前記配管放熱装置の後面に軟質断熱材を設け、配管放熱装置を鏡裏面に圧接固定できる請求項１〜６記載の曇り防止付き鏡ユニットとすることにより、軟質断熱材があるため配管放熱装置の熱を前面の鏡面のみに効率良く伝えることができ、しかも設置の最後に鏡を配管放熱装置の前面から取り付けられることで配管放熱装置等の配管接続工事が容易になり作業性を向上することができる。
【００１５】
【実施例】
以下本発明の実施例について、図面を参照しながら説明する。
【００１６】
（実施例１）
図１は、本発明の実施例１における曇り防止付き鏡ユニットの浴室設置斜視図を示すものである。
【００１７】
図１において、浴室壁面６に略額縁形状の化粧パネル７と混合水栓９とを設置し、化粧パネル７に鏡８を設けている。１０はハンドシャワーである。
【００１８】
図２は本発明の実施例１における曇り防止付き鏡ユニットの断面図であり、図３は正面図である。
【００１９】
図２、３において、浴室壁面６に設置した略額縁形状の化粧パネル７の中に配管放熱装置１１を設けており、配管放熱装置１１に配設するよう鏡８を化粧パネル７にビス固定している。また、浴室壁面６に設置した混合水栓９には給湯配管１２と給水配管１３とを接続し、混合水供給パイプ１４で混合水栓９と化粧パネル７の下部に設けた接続入口部１５とを接続する。
【００２０】
配管放熱装置１１は化粧パネル７の内部で下部に設けた接続入口部１５と上部横に設けた接続出口部１６と接続しており、ハンドシャワー１０は化粧パネル７の上部横に設けた接続出口部１６に接続する。
【００２１】
以上のように構成された曇り防止付き鏡ユニットについて、以下その動作、作用を説明する。
【００２２】
ハンドシャワー１０から出湯する際、混合水栓９で混合された混合水が混合水供給パイプ１４を通って配管放熱装置１１に流れ込む。
【００２３】
以上のように、本実施例においては配管放熱装置１１に給湯することにより、配管放熱装置１１が加熱され、配設した鏡８に熱伝導することとで鏡８が温められ入浴中の曇りを防止することになり、電気ヒータに比べて感電等の心配がなく安全であり、しかも入浴中に使用するお湯を配管放熱装置に流して鏡の曇りを防止するため無駄なエネルギーを用いず、効率的にエネルギーを利用することができる。
【００２４】
また、本実施例では化粧パネル７の下部に接続入口部１５を設け上部横に接続出口部１６を設けたことにより、輸送時及び設置時、混合水栓９と配管放熱装置１１を備えた化粧パネル７とハンドシャワー１０とを別体として取り扱うことができようになり、作業性が向上し配管接続が容易になる。
【００２５】
また、本実施例の配管放熱装置１１を熱伝導性の良い材料である銅で製造された箱体とすることに特に鏡を素早く昇温させることとなり、性能を向上させることができる。
【００２６】
なお、本実施例においては配管放熱装置１１を混合水栓９の２次側配管の途中に設けて給湯したが混合水栓９の１次側配管である給湯配管１２の途中に設けて給湯することで配管放熱装置を加熱してもよい。
【００２７】
また、本実施例においては化粧パネル７は配管放熱装置１１を隠蔽する手段として用いたが付加部品として化粧パネル７上に収納棚等を設けて化粧パネル７を収納棚付きの化粧パネルとしてもよい。
【００２８】
（実施例２）
図４は本発明の実施例２における曇り防止付き鏡ユニットの断面図であり、図５は正面図である。
【００２９】
図４、５において配管放熱装置１９は均熱板１７としてステンレス板に樹脂パイプ１８を熱溶着して一体のものとする。配管放熱装置１９の後面には軟質断熱材２０を設けており、鏡８を化粧パネル７にビス固定する際、軟質断熱材２０が浴室壁面６と配管放熱装置１９とのすきまを埋め、鏡８と配管放熱装置１９を圧接固定する。
【００３０】
以上のように均熱板１７と樹脂パイプ１８を一体にすることにより取り扱いを容易にすることができる。
【００３１】
また、均熱板１７を確実に鏡８に密着させ、軟質断熱材２０を設けていることにより密着させない場合と比べて明らかに鏡８の昇温スピードが早まることになり、確実に鏡８の曇りを防止するすることができ性能を向上させることができる。しかも設置の最後に鏡を配管放熱装置１９の前面から取り付けられることで配管放熱装置１９等の配管接続工事が容易になり作業性を向上することができる。
【００３２】
（実施例３）
図６は本発明の実施例３における曇り防止付き鏡ユニットの配管放熱装置の正面図である。
【００３３】
図６において均熱板１７に樹脂パイプ１８を熱溶着する際、横方向に曲げながら樹脂パイプ１８を均熱板１７に配し、しかも配管勾配をつける。２１は水抜き栓である。
【００３４】
以上のようにすることにより、樹脂パイプ１８内に溜まった死水を水抜き栓２１を開けることにより水抜きが可能になり、冬場等の配管凍結を防止することができる。
【００３５】
【発明の効果】
以上のように、請求項１から７のいずれか一項記載の発明によれば、電気ヒータに比べて感電等の心配がなく安全であり、しかも入浴中に使用するお湯を配管放熱装置に流して鏡の曇りを防止するため無駄なエネルギーを用いず、効率的にエネルギーを利用することができる。
【図面の簡単な説明】
【図１】本発明の実施例１における曇り防止付き鏡ユニットの浴室設置斜視図
【図２】本発明の実施例１における曇り防止付き鏡ユニットの断面図
【図３】本発明の実施例１における曇り防止付き鏡ユニットの正面図
【図４】本発明の実施例２における曇り防止付き鏡ユニットの断面図
【図５】本発明の実施例２における曇り防止付き鏡ユニットの正面図
【図６】本発明の実施例３における曇り防止付き鏡ユニットの配管放熱装置の正面図
【図７】従来の曇り防止付き鏡ユニットの断面図
【符号の説明】
６  浴室壁面
７  化粧パネル
８  鏡
９  混合水栓
１０  ハンドシャワー
１１  配管放熱装置
１５  接続入口部
１６  接続出口部
１７  均熱板
１８  樹脂パイプ
２０  軟質断熱材
【図１】
2005034255.tif 000003
【図２】
2005034255.tif 000004
【図３】
2005034255.tif 000005
【図４】
2005034255.tif 000006
【図５】
2005034255.tif 000007
【図６】
2005034255.tif 000008
【図７】
2005034255.tif 000009